(57)【要約】【課題】      半自動的に微細ランプと導線を溶接させる微細ランプと導線の溶接装置を提供する。【解決手段】  上側に支持プレートが設けられるベースと、支持プレートの一側に設けられると共に、錫糸を収容する錫糸供給装置と、支持プレートの他側に設けられると共に、切断部材と、切断部材を駆動する駆動部材と、内径が徐々に縮減する錫糸ガイドパイプとを有する錫糸切断装置と、錫糸供給装置と錫糸切断装置との間に移動可能に該支持プレートに設けられ、駆動部材と、駆動部材により駆動される可動部材と、可動部材に設けられると共に、錫糸を位置決めする挟持部材とを有する錫糸輸送装置と、上下移動可能にベースの中段に設けられ、加熱部材と、加熱部材の一側に設けられると共に、錫糸ガイドパイプの下端に対応し合う加熱パイプと有する熔解部材と、微細ランプを挟持するために加熱パイプの下方に設けられるランプ位置決め部材とを備えることを特徴とする。【選択図】  図１
0003118600.tif 000002
【実用新案登録請求の範囲】
【請求項１】
上側に水平状の支持プレートが設けられるコ字形のベースと、
該支持プレートの上面の一側に設けられた錫糸を収容する錫糸供給装置と、
該支持プレートの上面の他側に設けられた切断部材と、該切断部材を駆動する駆動部材と、内径が徐々に縮減する錫糸ガイドパイプとを有する錫糸切断装置と、
該錫糸供給装置と錫糸切断装置との間に移動可能に該支持プレートの上面に設けられ、駆動部材と、該駆動部材により駆動される可動部材と、該可動部材の上面に設けられ、前記錫糸を位置決めする挟持部材とを有する錫糸輸送装置と、
上下移動可能に該ベースの中段に設けられ、加熱部材と、該加熱部材の一側に設けられ、該錫糸ガイドパイプの下端に対応し合う加熱パイプと有する熔解部材と、
微細ランプを挟持するために該加熱パイプの下方に設けられるランプ位置決め部材とを備えることを特徴とする微細ランプと導線の溶接装置。
【請求項２】
前記錫糸切断装置における駆動部材は、該支持プレートに固定するための位置決めプレートと、該位置決めプレートに設けられると共に、該切断部材を上下方向の移動可能に駆動させる第１シリンダーとを備え、
該錫糸輸送装置における駆動部材は、該支持プレートに固定するための位置決めプレートと、該可動部材を駆動するための第２シリンダーとを備え、
該挟持部材は、該可動部材に固定するための位置決めプレートと、該位置決めプレートに設けられ、前記錫糸を移動させる挟持部と、該位置決めプレートに設けられると共に、錫糸を可動部材に位置決めさせる錫糸押圧ロッドとを備えることを特徴とする請求項１に記載の微細ランプと導線の溶接装置。
【請求項３】
前記錫糸押圧ロッドは、二本のロッドが枢軸によって連接され、一本のロッドが垂直に可動部材に固定され、他のロッドが斜方向に錫糸を押圧させると共に、上端にスプリングが設けられることにより、位置決めプレートと連接し、前記加熱装置に熱放散装置が設けられることを特徴とする請求項２に記載の微細ランプと導線の溶接装置。
【考案の詳細な説明】
【技術分野】
【０００１】
本考案は、特に半自動的に微細ランプと導線を溶接させる微細ランプと導線の溶接装置に関するものである。
【背景技術】
【０００２】
従来、液晶モニターやノートブック型パソコンやデジタルカメラなどのバックライト光源に用いられる微細ランプは、手動熔接の手段によって端部に錫を半田付けすることにより、導線と接続するようになっている。
【考案の開示】
【考案が解決しようとする課題】
【０００３】
しかしながら、前記手動溶接での手段では、生産効率の低いという問題を有し、更に、作業時間が長く、作業員に疲労を強いてしまうと、熔接における品質の低下に影響を及ぼす。
【０００４】
そこで、案出されたのが本考案であって、手動に代えて、半自動的に微細ランプと導線を溶接させる微細ランプと導線の溶接装置を提供することを目的としている。
【課題を解決するための手段】
【０００５】
本願の請求項１の考案は、上側に水平状の支持プレートが設けられるコ字形のベースと、該支持プレートの上面の一側に設けられた錫糸を収容する錫糸供給装置と、該支持プレートの上面の他側に設けられた切断部材と、該切断部材を駆動する駆動部材と、内径が徐々に縮減する錫糸ガイドパイプとを有する錫糸切断装置と、該錫糸供給装置と錫糸切断装置との間に移動可能に該支持プレートの上面に設けられ、駆動部材と、該駆動部材により駆動される可動部材と、該可動部材の上面に設けられ、前記錫糸を位置決めする挟持部材とを有する錫糸輸送装置と、上下移動可能に該ベースの中段に設けられ、加熱部材と、該加熱部材の一側に設けられると共に、該錫糸ガイドパイプの下端に対応し合う加熱パイプと有する熔解部材と、微細ランプを挟持するために該加熱パイプの下方に設けられるランプ位置決め部材とを備えることを特徴とする微細ランプと導線の溶接装置を提供する。
【０００６】
本願の請求項２の考案は、請求項１に記載の微細ランプと導線の溶接装置において、前記錫糸切断装置における駆動部材は、該支持プレートに固定するための位置決めプレートと、該位置決めプレートに設けられると共に、該切断部材を上下移動に駆動させる第１シリンダーとを備え、該錫糸輸送装置における駆動部材は、該支持プレートに固定するための位置決めプレートと、該可動部材を駆動するための第２シリンダーとを備え、該挟持部材は、該可動部材に固定するための位置決めプレートと、該位置決めプレートに設けられると共に、錫糸を移動させる挟持部と、該位置決めプレートに設けられると共に、錫糸を可動部材に位置決めさせる錫糸押圧ロッドとを備えることを特徴とする。
【０００７】
本願の請求項３の考案は、請求項２に記載の微細ランプと導線の溶接装置において、前記錫糸押圧ロッドは、二本のロッドが枢軸によって連接され、一本のロッドが垂直に可動部材に固定され、他のロッドが斜方向に錫糸を押圧させると共に、上端にスプリングが設けられることにより、位置決めプレートと連接し、前記加熱装置に熱放散装置が設けられることを特徴とする。
【考案の効果】
【０００８】
本考案は上記の課題を解決するものであり、錫糸を錫糸輸送装置によって錫糸切断装置に移動し、切断部材によって錫ブロックに切断した後、加熱パイプによって錫ブロックを錫の液滴に熔かすと共に、熔けた錫の液滴が微細ランプの上端に落ちてしまう前に、手で導線の一端を微細ランプの上端に位置決めすると、落ちた錫の液滴が直ぐに凝固し、微細ランプと導線を溶接することにより、微細ランプと導線の溶接作業を半自動的に行うことができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係る微細ランプと導線の溶接装置の一実施例を示す側面図であり、図２は本考案に係る微細ランプと導線の溶接装置における上部装置を示す拡大側面図であり、図３は本考案に係る微細ランプと導線の溶接装置における下部装置を示す拡大側面図であり、図４は本考案に係る微細ランプと導線の溶接装置における熔解部材によって熔解作業を行う状態を示す側面図であり、図５は手で半自動的に導線を微細ランプの一端に位置決める状態を示す側面図である。
【００１１】
図１に示すように、本考案に係る微細ランプと導線の溶接装置は、上側に水平状の支持プレート１１が設けられるコ字形のベース１０と、該支持プレート１１の上面の一側に設けられた錫糸を収容する錫糸供給装置１２と、該支持プレート１１の上面の他側に設けられると共に、切断部材２１と、該切断部材２１を駆動する駆動部材２２と、内径が徐々に縮減する錫糸ガイドパイプ２３とを有する錫糸切断装置２０とを備えている。
前記錫糸供給装置１２と錫糸切断装置２０との間には移動可能に該支持プレート１１の上面に設けられ、駆動部材３１と、該駆動部材３１により駆動される可動部材３２と、該可動部材３２の上面に設けられると共に、錫糸１３を位置決めする挟持部材３３とを有する錫糸輸送装置３０とを備え、上下方向の移動可能に該ベース１０の中段に設けられ、加熱部材４１と、該加熱部材４１の一側に設けられると共に、該錫糸ガイドパイプ２３の下端に対応し合う加熱パイプ４２と有する熔解部材４０と、微細ランプ５１を挟持するために該加熱パイプ４２の下方に設けられるランプ位置決め部材５０とを備えてなる。
【００１２】
本実施例では、錫糸切断装置２０における駆動部材２２は、該支持プレート１１に固定するための位置決めプレート２２０と、該位置決めプレート２２０に設けられると共に、該切断部材２１を上下移動に駆動させる第１シリンダー２２１とを備える。
錫糸輸送装置３０における駆動部材３１は、該支持プレート１１に固定するための位置決めプレート３１０と、該可動部材３２を駆動するための第２シリンダー３１１とを備えている。
該挟持部材３３は、該可動部材３２に固定するための位置決めプレート３３０と、該位置決めプレート３３０に設けられ、錫糸１３を移動させる挟持部３３１と、該位置決めプレート３３０に設けられ、錫糸１３を可動部材３２に位置決めさせる錫糸押圧ロッド３４とを備える。
該錫糸押圧ロッド３４は、二本のロッドが枢軸によって連接されたもので、一本のロッドは垂直に可動部材３２に固定され、他方のロッドは錫糸１３を押圧するようにして斜方向に配置され、その上端にはスプリングの一端部が設けられ、スプリングの他端部が位置決めプレート３３０の上端部に配置されていることで、位置決めプレート３３０と連接している。
【００１３】
又、前記加熱装置４１に熱放散装置４３が設けられることにより、加熱装置４１の過熱問題を防止する。又、前記加熱パイプ４１は、チタン合金材料又はセラミック材料からなる。
【００１４】
図２に示すように、本考案に係る微細ランプと導線の溶接装置を使用する場合、先ず第２シリンダー３１１によって可動部材３２を錫糸切断装置２０の方向へ移動させると、挟持部３３１が錫糸１３を錫糸供給装置１２から引き出し、錫糸１３の一端を錫糸切断装置２０の切断部材２１の下方に移動させ、第１シリンダー２２１によって切断部材２１を下方へ移動させることにより、錫糸１３をブロックに切断すると、該ブロックが錫糸ガイドパイプ２３に沿って下方へ落ちる。
【００１５】
そして、図３に示すように、落ちた錫ブロック１４が熔解部材４０の加熱パイプ４２へ進入してゆくと、加熱パイプ４２は加熱部材４１により予め錫を熔かせる温度にまで上昇してあるので、錫ブロック１４は速かに錫の液滴となって熔けだす。
【００１６】
図４に示すように、熔けた錫の液滴が加熱パイプ４２から熔けだすと、直ぐに下方に位置するランプ位置決め部材５０における微細ランプ５１の上端に落ちる。
【００１７】
従って、図５に示すように、熔けた錫の液滴が微細ランプ５１の上端に落ちる直前に、手で導線５２の一端を微細ランプ５１の上端に位置決めすると、落ちた錫の液滴が直ぐに凝固することにより、微細ランプ５１と導線５２を溶接することができる。
【００１８】
本考案の微細ランプと導線の溶接装置によれば、微細ランプと導線の溶接作業を半自動的に行うことができるので、作業員の疲労感を軽減することが出来ると共に、生産効率や製品の品質を向上することができる。
【産業上の利用可能性】
【００１９】
本考案は上記の構成を有するので、錫糸を錫糸輸送装置によって錫糸切断装置に移動し、切断部材によって錫ブロックに切断した後、加熱パイプによって錫ブロックを錫の液滴に熔かした後、熔けた錫の液滴が微細ランプの上端に落ちる直前に、手で導線の一端を微細ランプの上端に位置決めすると、落ちた錫の液滴が直ぐに凝固し、微細ランプと導線を溶接することにより、微細ランプと導線の溶接作業を半自動的に行うことができる。
【図面の簡単な説明】
【００２０】
【図１】本考案に係る微細ランプと導線の溶接装置の一実施例を示す側面図である。
【図２】本考案に係る微細ランプと導線の溶接装置における上部装置を示す拡大側面図である。
【図３】本考案に係る微細ランプと導線の溶接装置における下部装置を示す拡大側面図である。
【図４】本考案に係る微細ランプと導線の溶接装置における熔解部材によって熔解作業を行う状態を示す側面図である。
【図５】手で半自動的に導線を微細ランプの一端に位置決める状態を示す側面図である。
【符号の説明】
【００２１】
１０        ベース
１１        支持プレート
１２        錫糸供給装置
１３        錫糸
１４        錫ブロック
２０        錫糸切断装置
２１        切断部材
２２        駆動部材
２２０      位置決めプレート
２２１      第１シリンダー
２３        錫糸ガイドパイプ
３０        錫糸輸送装置
３１        駆動部材
３１０      位置決めプレート
３１１      第２シリンダー
３２        可動部材
３３        挟持部材
３３０      位置決めプレート
３３１      挟持部
３４        錫糸押圧ロッド
４０        熔解部材
４１        加熱部材
４２        加熱パイプ
４３        熱放散部材
５０        ランプ位置決め部材
５１        微細ランプ
５２        導線
【図１】
0003118600.tif 000003
【図２】
0003118600.tif 000004
【図３】
0003118600.tif 000005
【図４】
0003118600.tif 000006
【図５】
0003118600.tif 000007